(57)【要約】      （修正有）【課題】消失点がずれ無く一致したパースラインを描ける製図具を提供する。【解決手段】製図具１００は、ベース定規１０と、定規２０及び定規３０と、回動機構４０及び回動機構５０と、スライド機構６０とを備える。ベース定規１０と、定規２０及び定規３０とは、所定の長さを有する直線を引くための定規である。回動機構４０は、ベース定規１０上の右端付近における所定の支点４１を支点として定規２０を回動させることができる機構を有する。支点４１は、定規２０の線引き部２１の直線延長上にある。回動機構５０は、ベース定規１０上における所定の支点５１を支点として定規３０を回動させることができる機構を有する。支点５１は、定規３０の線引き部３１の直線延長上にある。スライド機構６０は、ベース定規１０の長手方向に沿って定規３０及び回動機構５０をスライドさせる機構である。【選択図】図１
0003186018.tif 000002
【実用新案登録請求の範囲】
【請求項１】
ベース定規と、
第１の定規と、
前記第１の定規の線引き部における直線延長上で、かつ前記ベース定規上の所定の点を支点として前記第１の定規を回動させる機構を有する第１の回動機構と、
第２の定規と、
前記第２の定規の線引き部における直線延長上で、かつ前記ベース定規上の所定の点を支点として前記第２の定規を回動させる機構を有する第２の回動機構と
を備えたことを特徴とする製図具。
【請求項２】
前記第１の回動機構における支点及び前記第２の回動機構における支点は、前記ベース定規の線引き部と平行な直線上にあることを特徴とする請求項１に記載の製図具。
【請求項３】
前記第１の回動機構における支点及び前記第２の回動機構における支点は、前記ベース定規の線引き部上にあることを特徴とする請求項１に記載の製図具。
【請求項４】
前記第１の定規及び前記第１の回動機構、又は前記第２の定規及び前記第２の回動機構のいずれか一方、又は両方を前記ベース定規の長手方向に沿ってスライドさせる機構であるスライド機構を少なくとも１つさらに備えたことを特徴とする請求項１乃至請求項３のいずれか一つに記載の製図具。
【考案の詳細な説明】
【技術分野】
【０００１】
本考案は、パースを作成する際に用いる製図具に関する。
【背景技術】
【０００２】
従来、パース図を描くパース定規として図４に示すパース定規３００があった（例えば、非特許文献１参照。）。パース定規３００は、図４（ａ）に示すように、複数のアーチ形状のスリット３０１〜スリット３０３が設けられた長方形の定規である。アーチ形状のスリット３０１〜スリット３０３は、長方形の定規の短手方向に伸びた態様になっている。そして、そのアーチ形状のスリット３０１〜スリット３０３は、長方形の定規の長手方向に沿って並んだ態様になっている。また、スリット３０１〜スリット３０３を形成するアーチ形状は、異なる径を有する２つの円弧により形成されている。スリット３０１〜スリット３０３を形成するアーチ形状の円弧の径はそれぞれ異なる。また、パース定規３００の表面には、図４に示すような補助線３０５をはじめとする多数の補助線が設けられている。
【０００３】
パース定規３００を用いてパース図を描く場合、パース図の一部を構成するパースライン３１１にパース定規３００の上辺部３０４を合わせる。この時、もう一方のパースライン３１２と重なり合うパース定規３００上の補助線を探す。その補助線（図４（ｂ）においては補助線３０６）を探したら、図４（ｂ）に示すように、その補助線３０６と結びついたスリットの円弧３０７に沿って線３１３を引く。そして、図４（ｃ）に示すように、線３１３に円弧３０７を沿わせながらパース定規３００を、例えば矢印Ａ方向へ移動させて、必要に応じてパース定規３００の上辺部３０４に沿ってパースライン３１４、パースライン３１５を引く。このようにして描かれた線は、消失点が一致したパースラインを構成するとされる。
【０００４】
また、その他にも図５に示すパース定規４００があった。このパース定規４００は、切込定規体４１０と、線定規体４２０とにより構成されている（例えば、特許文献１参照。）。切込定規体４１０は、複数のアーチ形状のスリットが設けられた長方形の定規である。アーチ形状のスリットは、長方形の定規の短手方向に伸びた態様になっている。そして、そのアーチ形状のスリットは、長方形の定規の長手方向に沿って並んだ態様になっている。また、スリットを形成するアーチ形状は、異なる径を有する２つの円弧により形成されている。いずれのスリットを形成するアーチ形状の円弧の経は異なる。線定規体４２０は、複数の円弧状の軌跡線が設けられた長方形の定規である。円弧状の軌跡線は、長方形の定規の短手方向に伸びた態様になっている。そして、その円弧状の軌跡線は、長方形の定規の長手方向に沿って並んだ態様になっている。また、円弧状の軌跡線は、いずれも径が異なる円弧である。
【０００５】
上記パース定規４００は、パース定規３００における複数のアーチ形状のスリットが設けられた長方形の定規部分は切込定規体４１０に構成させ、パース定規３００の表面設けられた複数の補助線部分は線定規体４２０に構成させた態様になっている。したがって、パース定規４００を用いてパース図を描く場合も上記パース定規３００の場合と類似している。すなわち、切込定規体４１０の上辺部４１１を、図４におけるパースライン３１１に合わせ、線定規体４２０の下辺部４２１をパースライン３１２に合わせ、そこで一致する円弧状の軌跡線とスリットを形成するアーチ形状の円弧を探す。そのスリットを形成するアーチ形状の円弧に沿って引いた線は上記図４における線３１３に相当する。後は、パース定規３００の場合と同様に、切込定規体４１０を線３１３に相当する線に沿って移動させて必要に応じて切込定規体４１０の上辺部４１１に沿ってパースラインを引く。
【先行技術文献】
【特許文献】
【０００６】
【特許文献１】特開２００１−１０５７８８号公報
【非特許文献】
【０００７】
【非特許文献１】株式会社Ｔｏｏ  「らくらくパース定規２Ｅ講座」  株式会社Ｔｏｏホームページ製品情報「パース定規２Ｅ」ページ上のリンク「「パース定規２Ｅ」の使い方マンガ（ＰＤＦファイル  ３．４ＭＢ）別ウィンドウ」  ［平成２５年６月２６日検索］  インターネット＜ｈｔｔｐ：／／ｗｗｗ．ｔｏｏ．ｃｏｍ／ｐｒｏｄｕｃｔｓ／ｐｅｒｓ２ｅ／ｐｄｆ／ｐｅｒｓ２ｅ＿ｍａｎｇａ．ｐｄｆ＞
【考案の概要】
【考案が解決しようとする課題】
【０００８】
パース定規３００でパースラインを描く場合、上記説明したように、パース図の一部を構成するパースライン３１１にパース定規３００の上辺部３０４を合わせた後に、もう一方のパースライン３１２と重なり合うパース定規３００上の補助線を探す。しかしながら、パース定規３００上の補助線は、所定間隔毎に設けられているため、必ずしもパースライン３１２と完全一致するパース定規３００上の補助線があるとは限らない。この場合、完全に一致していないが、一致度が一番近い補助線を選択することになる。これでは、パースライン３１１及びパースライン３１２の消失点と、パース定規３００により新たに描かれるパースライン（例えば、パースライン３１４及びパースライン３１５）の消失点とは、一致せずにずれが生じることが想定される。このことは、パース定規４００においても当てはまる。
【０００９】
そこで、消失点がずれ無く一致したパースラインを描ける製図具を提供することを目的とする。
【課題を解決するための手段】
【００１０】
上記課題を解決するため、本考案の製図具は、ベース定規と、第１の定規と、上記第１の定規の線引き部における直線延長上で、かつ上記ベース定規上の所定の点を支点として上記第１の定規を回動させる機構を有する第１の回動機構と、第２の定規と、上記第２の定規の線引き部における直線延長上で、かつ上記ベース定規上の所定の点を支点として上記第２の定規を回動させる機構を有する第２の回動機構とを備えたことを特徴とするものである。これにより、消失点がずれ無く一致したパースラインを描かせるという作用をもたらす。
【００１１】
また、本考案の製図具において、上記第１の回動機構における支点及び上記第２の回動機構における支点は、上記ベース定規の線引き部と平行な直線上にあることを特徴とする。これにより、製図具の使用を容易にさせるという作用をもたらす。
【００１２】
また、本考案の製図具において、上記第１の回動機構における支点及び上記第２の回動機構における支点は、上記ベース定規の線引き部上にあることを特徴とする。上記第１の回動機構及び上記第２の回動機構における支点が上記ベース定規の線引き部上にある構成によれば、ベース定規の線引き部上に支点があるため、パース図の作成において本考案の製図具を移動させなくても水平線及びパースラインを描くことができるため、パース図の作成効率を向上させることに資する。
【００１３】
また、本考案の製図具において、上記第１の定規及び上記第１の回動機構、又は上記第２の定規及び上記第２の回動機構のいずれか一方、又は両方を上記ベース定規の長手方向に沿ってスライドさせる機構であるスライド機構を少なくとも１つさらに備えたことを特徴とする。これにより、消失点に相当する上記第１の回動機構における回動の支点、又は上記第２の回動機構における回動の支点もスライド可能となるため、消失点の位置を自由に決定させるという作用をもたらす。
【考案の効果】
【００１４】
本考案によれば、消失点がずれ無く一致したパースラインを描けるという優れた効果を奏し得る。
【図面の簡単な説明】
【００１５】
【図１】本考案の実施の形態における製図具１００及び製図具２００を示す図である。
【図２】本考案の実施の形態における製図具１００の斜視図である。
【図３】本考案の実施の形態における製図具１００により２点透視の外観パースを作成する様子を示す図である。
【図４】従来からあるパース定規３００を示す図である。
【図５】従来からあるパース定規４００を示す図である。
【考案を実施するための形態】
【００１６】
次に本考案の実施の形態について図面を参照して詳細に説明する。
【００１７】
図１は、本考案の実施の形態における製図具１００及び製図具２００を示す図である。図１（ａ）は製図具１００を示す図である。製図具１００は、ベース定規１０と、定規２０及び定規３０と、回動機構４０及び回動機構５０と、スライド機構６０とを備える。
【００１８】
ベース定規１０と、定規２０及び定規３０とは、所定の長さを有する直線を引くための定規である。ベース定規１０と、定規２０及び定規３０の形状として、例えば長方形とすることが想定されるが、これに限るものではなく、その他の形状であってもよい。また、ベース定規１０と、定規２０及び定規３０を形成させる材質として、例えば透明な樹脂が想定されるが、これに限るものではなく、その他の材質であってもよい。
【００１９】
回動機構４０は、ベース定規１０の右端付近において定規２０を回動可能にさせるものである。そして、回動機構４０は、ベース定規１０上における所定の支点４１を支点として定規２０を回動させることができる機構を有する。このような機構の態様として、例えばベース定規１０の右端部付近に中心を支点４１とする回動軸部材４２を介して定規２０が取り付けられ、定規２０は回動軸部材４２を軸として回動する態様が想定されるが、これに限るものではなく、その他の態様であってもよい。
【００２０】
また、支点４１は、定規２０の線引き部２１の直線延長上にある。支点４１を定規２０の線引き部２１の直線延長上にするには、例えば、図１に示すように、定規２０をＬ字型形状に形成することが一例として想定されるが、これに限るものではなく、その他の形状であっても本考案に含まれる。なお、図３で説明するが、支点４１は製図具１００において消失点に相当する。したがって、定規２０の線引き部２１に沿って描く線は、消失点から伸びるパースラインになる。
【００２１】
また、回動機構５０は、ベース定規１０において定規３０を回動可能にさせるものである。そして、回動機構５０は、ベース定規１０上における所定の支点５１を支点として定規３０を回動させることができる機構を有する。このような機構の態様として、例えばベース定規１０の中心を支点５１とする回動軸部材５２を介して定規３０が取り付けられ、定規３０は回動軸部材５２を軸として回動する態様が想定されるが、これに限るものではなく、その他の態様であってもよい。
【００２２】
また、支点５１は、定規３０の線引き部３１の直線延長上にある。支点５１を定規３０の線引き部３１の直線延長上にするには、例えば、図１に示すように、定規３０をＬ字型形状に形成することが一例として想定されるが、これに限るものではなく、その他の形状であっても本考案に含まれる。なお、図３で説明するが、支点５１は製図具１００において消失点に相当する。したがって、定規３０の線引き部３１に沿って描く線は、消失点から伸びるパースラインになる。以上の支点４１及び支点５１は、ベース定規１０の線引き部１１と平行な直線上に配置することが好ましい。
【００２３】
スライド機構６０は、ベース定規１０の長手方向に沿って定規３０及び回動機構５０をスライドさせる機構である。スライド機構６０は、例えばベース定規１０上にガイドレール６１を設け、回動機構５０を構成する回動軸部材５２がスライダーとなってガイドレール６１に沿ってスライドさせることができる機構が一例として想定されるが、これに限るものではなく、その他の態様であってもよい。スライド機構６０により消失点に相当する支点５１もスライド可能となるため、製図具１００におけるスライド機構６０によれば消失点の位置を自由に決定することができる効果がある。なお、ベース定規１０の長手方向に沿って定規２０及び回動機構４０をスライドさせるスライド機構を別途設けてもよい。この場合、定規２０及び回動機構４０をガイドレール６１によりスライドさせる機構であってもよいし、別途のガイドレールによりスライドさせる機構であってもよい。すなわち、定規３０及び回動機構５０、又は定規２０及び回動機構４０のいずれか一方、又は両方をベース定規１０の長手方向に沿ってスライドさせる機構を少なくとも１つ備えたものは全て本考案に含まれる。
【００２４】
図１（ｂ）は、製図具２００を示す図である。製図具２００は、製図具１００の構成とほぼ同様であり、ベース定規２１０と、定規２２０及び定規２３０と、回動機構２４０及び回動機構２５０と、スライド機構２６０とを備える。製図具２００と製図具１００との相違点は、左右に設けられた回動機構（回動機構４０及び回動機構５０、回動機構２４０及び回動機構２５０）の位置である。
【００２５】
製図具２００は、ベース定規２１０の線引き部２１１上に相当する位置に支点２４１及び支点２５１が位置するような構造になっている。この場合、スライド機構２６０は、定規２３０及び回動機構２５０をガイドレール２６１に沿ってスライドさせるが、この場合、ガイドレール２６１に沿ってスライドできればスライダーはどのような態様であってもよい。また、ガイドレール２６１は、図１（ｂ）に示すような態様に限るものではなく、その他の態様であってもよい。すなわち、ベース定規２１０の線引き部２１１上に相当する位置に支点２４１及び支点２５１が位置させた製図具２００におけるスライド機構２６０は、ベース定規２１０の長手方向に沿って定規２３０及び回動機構２５０をスライドさせることができる機構であれば、どのような機構であってもよく、それら全て本考案に含まれる。
【００２６】
図２は、本考案の実施の形態における製図具１００の斜視図である。定規２０及び定規３０は、図２に示すように、それぞれベース定規１０の上面１０ａ、下面１０ｂに取り付けることが好ましい。このようにすれば、定規２０又は定規３０を回動させた際に、互いに干渉しない。
【００２７】
そして、図２に示すように、ガイドレール６１は、定規の中央部分付近を繰り抜いた態様になっている。また、回動軸部材５２は、このガイドレール６１を上面から下面に向かって貫く態様をしている。回動軸部材５２の上端及び下端には、本体５２ａよりも大きな径を有する抜け止め部５２ｂ及び抜け止め部５２ｃが備えられている。なお、このスライド機構の態様は一例であって、本考案のスライド機構はその他の全てのスライド機構も含むものである。
【００２８】
図３は、本考案の実施の形態における製図具１００により２点透視の外観パース図を作成する様子を示す図である。外観パース図を構成するパースライン７１及びパースライン７２がある場合、図３（ａ）に示すように、ベース定規１０の中央ライン部１２、及び定規２０の線引き部２１を、それぞれパースライン７１及びパースライン７２に合わせて置く。なお、ベース定規１０の中央ライン部１２は、ベース定規１０の線引き部１１と平行な直線部であり、中央ライン部１２上に支点４１及び支点５１は配置されている。
【００２９】
回動機構４０における支点４１、回動機構５０における支点５１は、それぞれ消失点４１ａ及び消失点５１ａに相当する。すなわち、製図具１００で外観パース図を作成する場合、製図具１００を紙面に置くだけで消失点を把握できる。
【００３０】
定規２０の線引き部２１の延長線上に支点４１は位置するため、図３（ｂ）に示すように、線引き部２１に沿って線を描くと、消失点４１ａから伸びるパースラインを描くことができる。また、定規２０を回動機構４０により回動させることにより、消失点４１ａから伸びる様々なパースライン（例えば、パースライン７３、パースライン７４）を複数描くことができる。
【００３１】
定規３０及び回動機構５０は、スライド機構６０によりベース定規１０の長手方向に沿って移動できる。このため、製図具１００は、２点透視の外観パース図におけるもう一方の消失点をパースライン７１上の様々な位置に設定することができる。２点透視の外観パース図におけるもう一方の消失点を決めたら、図３（ｃ）に示すように、矢印Ｂ方向へ定規３０及び回動機構５０をスライドさせる。
【００３２】
そして、上記定規２０で説明したのと同様に、定規３０を回動機構５０により回動させることにより、定規３０の線引き部３１に沿って消失点５１ａから伸びる様々なパースライン（例えば、パースライン７５〜パースライン７７）を複数描くことができる。これにより、図３（ｄ）に描くような外観パース図を描くことができる。そして、消失点が紙面８０からはみ出るような場合であっても、図３（ｄ）から明らかなように、製図具１００なら容易に外観パース図を描くことができる。
【００３３】
従来のパース定規は、２本のパースラインがある場合、パースラインと一致するパース定規上の補助線に対応する円弧に基づいて消失点が一致するパースラインを描いており、必ずしもパースラインと一致するパース定規上の補助線があるとは限らないところに問題点があった。以上のように、本考案の実施の形態における製図具１００及び製図具２００によれば、２本のパースラインがある場合、そのパースラインに合わせて置くだけで、消失点から伸びるその他の正確なパースラインを容易に多数に描くことができるという優れた効果を奏する。また、製図具２００によれば、支点２４１及び支点２５１がベース定規２１０の線引き部２１１上にあるため、パース図の作成において製図具２００を移動させなくても水平線及びパースラインを描くことができるため、パース図の作成効率を向上させることに資する。
【００３４】
なお、本考案の実施の形態は本考案を具現化するための一例を示したものであり、これに限定されるものではなく本考案の要旨を逸脱しない範囲において種々の変形を施すことができる。
【符号の説明】
【００３５】
１０、２１０  ベース定規
１０ａ  上面
１０ｂ  下面
１１、２１、３１、２１１  線引き部
２０、３０、２２０、２３０  定規
４０、５０、２４０、２５０  回動機構
４１、５１、２４１、２５１  支点
４１ａ、５１ａ  消失点
４２、５２  回動軸部材
６０、２６０  スライド機構
６１、２６１  ガイドレール
１００、２００  製図具
【図１】
0003186018.tif 000003
【図２】
0003186018.tif 000004
【図３】
0003186018.tif 000005
【図４】
0003186018.tif 000006
【図５】
0003186018.tif 000007